(57)【特許請求の範囲】
【請求項１】
入力されたデジタル放送信号のＴＳから該ＴＳを複数フレーム単位にまとめてファイル化したＴＳファイルを生成し、生成されたＴＳファイル毎に当該ＴＳの複数フレームにおける少なくとも時刻情報及び番組情報を一括して管理するためのファイルヘッダを付加して一時記憶する第１の記憶手段、システム管理インターフェース、及びＣＰＵを有するＴＳ処理部と、
前記ＣＰＵの制御によって間欠的に転送される前記第１の記憶手段の記憶内容の現在の転送時点から少なくとも２４時間前までのＴＳファイルのデータを、時系列的に順次書き替えるリング状のメモリ構成の大容量記憶として、当該間欠的に転送される間は常に記憶する第２の記憶手段と、
前記ＴＳ処理部とＬＡＮで接続され、且つ前記ＣＰＵの制御によって、前記第２の記憶手段にて当該間欠的に転送によって上書きされる以前に少なくとも一度は定期的に転送される前記第２の記憶手段の記憶内容を、一定期間分のデータとして記憶する第３の記憶手段と、
前記ＴＳ処理部とＬＡＮで接続され、且つ前記ＣＰＵの制御によって、前記システム管理インターフェースからの転送要求に応じて転送される前記第２の記憶手段の記憶内容か、または、前記第３の記憶手段によって記憶されたデータについて、前記ＴＳ処理部において付加されたファイルヘッダを取り除いて当該入力されたデジタル放送信号のＴＳに相当する信号を復元するＴＳ再生部とを備え、
前記ＴＳファイルのファイルサイズは、当該ＴＳの複数フレーム以上であって、且つ前記時系列的に順次書き替えるリング状のメモリ構成の大容量記憶として構成した前記第２の記憶手段への転送時間を含む２４時間分以下の当該ＴＳの複数フレームからなるサイズとなるように予め規定されていることを特徴とするデジタル放送の放送番組記録装置。
【請求項２】
請求項１記載のデジタル放送の放送番組記録装置において、前記ＴＳ処理部、前記第２の記憶手段、および前記第３の記憶手段をそれぞれ個別に有し、前記ＴＳ再生部を共有する２系統の放送番組記録装置、および外部および前記２系統の放送番組記録装置と制御ＬＡＮで接続され、前記２系統の放送番組記録装置の動作を診断し、現在使用中の放送番組記録装置に異常が認められたとき、使用すべき装置として、使用中の放送番組記録装置から使用中でない放送番組記録装置に切り替えるシステム管理装置を具えて構成されていることを特徴とするデジタル放送の放送番組記録装置。
【発明の詳細な説明】
【０００１】
【発明の属する技術分野】
本発明は、デジタル放送の放送番組記録装置に係り、特に、記録および解析のための時間が短縮され、また、信頼性が確保されたデジタル放送の放送番組記録装置装置に関する。
【０００２】
【従来の技術】
放送事業者は、放送法第５条（放送番組の保存）の規定に基づいて、放送番組を放送と同時に録画、録音（以下、同録と言う）して所定期間保存することが義務付けられている。このために、例えば、３カ月分の放送番組を同録保存するには、約２，０００時間分の記録が可能な記録媒体が必要となる。
【０００３】
従来のこの種の同録装置は、磁気テープを用いるように構成されていた。
図１は、従来のアナログ放送用の同録装置の一構成例を示している。
図１において、テレビ放送番組１０１は、映像信号（ＮＴＳＣ信号）と音声信号１１１とから構成され、送信機１０２とテープ式同録装置１０３に供給される。この供給されたテレビ放送番組は送信機１０２から放送される１１２とともに、テープ式同録装置１０３にて磁気テープに同録される。
【０００４】
【発明が解決しようとする課題】
磁気テープによる同録は、磁気テープの長さ方向に時間を基準にして記録される。このため、単に番組を記録して再生するだけなら問題はないが、放送番組を解析しようとする場合には、種々の問題を生じる。
【０００５】
これら問題とは、まず、所望の放送番組を検索するのに時間がかかることである。例えば、磁気テープとしてカセツトテ−プを使用する場合、通常６時間の録画が可能であるから、一日２４時間ではおよそ４本の録画済みテープができることになる。この方法で同録を行うには、録画時に、図１に示すように、時刻情報（タイムベース）１１３をテープ式同録装置１０３に取り込み、放送番組と同時にタイムベースをも記録しておく。
【０００６】
番組検索時には、まず、番組の放送時間を目安に録画されたカセツトテープを探し、再生する。このとき、表示されるタイムベースを頼りに番組の検索を行う。再生装置には数倍速の早送り機能を有するものを使用して検索時間の短縮が可能であるが、３０倍速の装置を使用したとしても、テープの終わりの部分が再生されるまでに約１２分かかる。おおよその場所にたどり着いたら、タイムベースをみながら該当箇所を探し出すという手順が必要であった。
【０００７】
一般に、放送番組の解析には、繰り返し再生やスロー再生、さらにはコマ送り再生等の機能を用いるが、これらは機械的手段によって行われるので、解析に時間がかかるだけでなく、狙った場面に合わせ込むことが困難であるという問題があった。
【０００８】
また、以上のような方法では、同録中に、同時に放送番組を解析しようとする場合においては、同録を一時中断しなければならなかった。
さらにまた、テープ式同録装置を使用した場合、放送時間とテープの記録時間とは１対１に対応する。そこで、テープエンドでテープを交換するとき、この間の同録が中断してしまう。これを防ぐために少なくとも２台の同録装置を用意し、一方の同録装置がテープエンド近くになったら、他方の同録装置を起動して同録を始める必要があった。このため、同録装置が複数台必要になったり、また、記録されたテープに他のテープとオーバーラップする部分が生じてしまうといった不都合があった。
【０００９】
一方で、テレビ放送は、従来のアナログ放送からデジタル放送に移行しつつある。これは放送技術、サービス、番組構成等を一変させるもので、アナログ放送では１放送事業者に１つの電波（放送番組）が割り当てられていたのに対して、デジタル放送では複数の放送事業者が１つの（あるいは、１つの放送事業者が複数の放送番組で）電波を共有するようになる。また、デジタル放送においては、番組内容に画像、音声、データがあり、これらがＭＰＥＧ２方式により圧縮、デジタル化され、１つのトランスポートストリーム（以下、ＴＳと言う）にまとめられている。
【００１０】
図２は、デジタル放送を行うための装置の一例の系統図を示している。
図２において、放送事業者Ａは多重化装置（一次ＭＵＸ）２０１において、画像、音声、データを多重化し、ＭＰＥＧ２方式により圧縮、デジタル化して１つのＴＳにまとめる。これが符号２９１で示す放送事業者ＡのＴＳとなる。同様に、放送事業者Ｂも多重化装置（一次ＭＵＸ）２０２により画像、音声、データを１つのＴＳにまとめ、符号２９２で示す放送事業者ＢのＴＳとなる。これら放送事業者ＡおよびＢのそれぞれＴＳ２９１，２９２に、ＥＰＧ（電子番組情報）２２１が多重化装置（ＩＳＤＢ  ＭＵＸ）２０３によりさらに多重化されて１つのＴＳ２９３にまとめられる。このＴＳ２９３はスクランブル装置ＳＣＲ２０４において暗号化された後（暗号化された信号を符号２９４で示す）、送信機２０５から放送２９５される。
【００１１】
この場合に使用される従来のデジタル放送用同録装置は、ＴＳをそのまま記録するものに過ぎなかった。図２において、同録装置ａ２１１、同録装置ｂ２１２、同録装置ｃ２１３がそれらである。また、それら同録装置は、ＤＡＴ（Ｄｉｇｉｔａｌ  Ａｕｄｉｏ  Ｔａｐｅｒｅｃｏｒｄｅｒ）やＬＴＯ（Ｌｉｎｅａｒ  Ｔａｐｅ  Ｏｐｅｎ）等の磁気テープを用いた記録装置であり、それぞれＴＳ２９１，ＴＳ２９２，ＴＳ２９４をそのまま記録している。従って、これらの同録装置も磁気テープによる記録であることから、番組解析時にはアナログ放送用同録装置と同様の問題があった。
【００１２】
本発明の目的は、デジタル放送番組の同録を行い、同録中、または同録後に放送番組の解析を行おうとするとき、解析に時間がかかったり、狙った場面に合わせ込むことが困難であったりするという問題がなく、また、同録中に解析を行う場合でも、同録を中断する必要のないデジタル放送の放送番組記録装置を提供することにある。
【００１４】
【課題を解決するための手段】
また、本発明デジタル放送の放送番組記録装置は、入力されたデジタル放送信号のＴＳから該ＴＳを複数フレーム単位にまとめてファイル化したＴＳファイルを生成し、生成されたＴＳファイル毎に当該ＴＳの複数フレームにおける少なくとも時刻情報及び番組情報を一括して管理するためのファイルヘッダを付加して一時記憶する第１の記憶手段、システム管理インターフェース、及びＣＰＵを有するＴＳ処理部と、
前記ＣＰＵの制御によって間欠的に転送される前記第１の記憶手段の記憶内容の現在の転送時点から少なくとも２４時間前までのＴＳファイルのデータを、時系列的に順次書き替えるリング状のメモリ構成の大容量記憶として、当該間欠的に転送される間は常に記憶する第２の記憶手段と、
前記ＴＳ処理部とＬＡＮで接続され、且つ前記ＣＰＵの制御によって、前記第２の記憶手段にて当該間欠的に転送によって上書きされる以前に少なくとも一度は定期的に転送される前記第２の記憶手段の記憶内容を、一定期間分のデータとして記憶する第３の記憶手段と、
前記ＴＳ処理部とＬＡＮで接続され、且つ前記ＣＰＵの制御によって、前記システム管理インターフェースからの転送要求に応じて転送される前記第２の記憶手段の記憶内容か、または、前記第３の記憶手段によって記憶されたデータについて、前記ＴＳ処理部において付加されたファイルヘッダを取り除いて当該入力されたデジタル放送信号のＴＳに相当する信号を復元するＴＳ再生部とを備え、
前記ＴＳファイルのファイルサイズは、当該ＴＳの複数フレーム以上であって、且つ前記時系列的に順次書き替えるリング状のメモリ構成の大容量記憶として構成した前記第２の記憶手段への転送時間を含む２４時間分以下の当該ＴＳの複数フレームからなるサイズとなるように予め規定されていることを特徴とするものである。
【００１５】
また、本発明デジタル放送の放送番組記録装置は、前記ＴＳ処理部、前記第２の記憶手段、および前記第３の記憶手段をそれぞれ独立に有し、前記ＴＳ再生部を共有する２系統の放送番組記録装置、および外部および前記２系統の放送番組記録装置と制御ＬＡＮで接続され、前記２系統の放送番組記録装置の動作を診断し、現在使用中の放送番組記録装置に異常が認められたとき、使用すべき装置として、使用中の放送番組記録装置から使用中でない放送番組記録装置に切り替えるシステム管理装置を具えて構成されていることを特徴とするものである。
【００１６】
【発明の実施の形態】
以下に添付図面を参照し、発明の実施の形態に基づいて本発明を詳細に説明する。
図３は、本発明デジタル放送の放送番組記録装置の第１の実施形態を示している。
本発明装置の入力信号としてのＭＰＥＧ２方式のＴＳ３９１はワークステーション等で構成されたＴＳ処理装置３０８に取り込まれ、まず、ＤＶＢ−ＡＳＩインターフェースボード３０１に入力され、ＴＳ処理装置３０８内の各回路とのインターフェースがとられる。ＤＶＢ−ＡＳＩインターフェースボード３０１の出力はＰＣＩバス３０６を介してＤＲＡＭ等で構成された一次記憶装置（ＲＡＭ）３０３にいったん記憶される。
【００１７】
ＣＰＵ３０５は、ＰＣＩバス３０６を介して一次記憶装置（ＲＡＭ）３０３内のデータを読み取りＴＳフレームの解析を行う。この解析は、ＴＳフレームのフォーマット、同期等に異常がないかのチェックを行い、異常があればシステム管理インターフェース３４１により外部システム（図示しない）に対してアラームを出力するというものである。ここで、ＣＰＵ３０５の動作に必要なソフトウエアはＣＰＵ３０５に含まれているものとして説明する。ＴＳフレームが正常であれば、いくつかのＴＳをまとめてＴＳファイルを作成する。ＴＳファイルには時刻情報、番組情報、システム情報等ＴＳ解析に必要な情報をまとめたファイルヘッダが付加され、再び一次記憶装置（ＲＡＭ）３０３に記憶される。これらの情報はシステム管理インターフェース３４１等からの情報をもとに作成される。
【００１８】
また、ＣＰＵ３０５は適宜タイミングを見計らって、一次記憶装置（ＲＡＭ）３０３内のＴＳファイルをＰＣＩバス３０６、ＳＣＳＩインターフェース３０４を介して、ハードディスクアレイ等で構成された二次記憶装置（ＨＤ）３０７に転送する。転送後のＴＳファイルは一次記憶装置３０３から消去される。
【００１９】
ＴＳファイルのファイルサイズは以下のようにして決める。
前述したように、ファイルには管理用のヘッダが必要である。１つのＴＳフレームごとに１つのＴＳファイルとした場合、記憶されるＴＳデータに対し管理ヘッダの割合が大きくなり、記憶効率が落ちる。このため、複数のＴＳフレームをまとめて１つのＴＳファイルを作れば記憶効率は改善される。しかし、ＴＳファイルのファイルサイズが大き過ぎると、ファイル転送に時間がかかって装置の共有資源（データ転送用バス、ワーク用ＲＡＭ、プログラム実行時間等）を占有する時間が増え、他の処理が待たされたり、スキップしたりしてしまう。
【００２０】
また、ＴＳ解析を行う場合も、ファイルサイズが大き過ぎるとファイルを取り込む時間がかかったり、解析用ワークＲＡＭを余分に使ったりして効率が悪くなる。そこで、これらの点を考慮してＴＳファイルのファイルサイズを決める。例えば、ＴＳフレームが１８８バイトであり、データ転送用のＬＡＮにギガビットＬＡＮを使用する場合を考慮すると約１．５Ｇバイト（ＣＳデジタル放送の場合で約５分間）のサイズが考えられ、本発明ではこれを一つの目安とした。
【００２１】
図３において、二次記憶装置（ＨＤ）３０７は一日分のデータを記憶できる容量（ＣＳデジタル放送の１日分を記憶する場合、約５００Ｇバイト）を有し、信頼性を確保するためＲＡＩＤ（Ｒｅｄｕｎｄａｎｔ  Ａｒｒｅｙｓ  ｏｆ  Ｉｎｄｅｐｅｎｄｅｎｔ  Ｄｉｓｋｓ）構成になっている。一次記憶装置（ＲＡＭ）３０３から転送されたＴＳファイルは、順次ここに記憶されていく。二次記憶装置（ＨＤ）３０７の構成例として、リング状のメモリ構成を考えた場合、ＴＳファイルが時系列的に書き替えられていく。記憶すべきＴＳファイルが二次記憶装置（ＨＤ）３０７のメモリ容量を越えた場合は、一番古いファイルから順に上書きされていき、常に現時点から少なくとも２４時間前までのＴＳファイルが記憶されているようになっている。
【００２２】
また、二次記憶装置（ＨＤ）３０７に記憶されているＴＳファイルは、後述するように、磁気テープを記録媒体とする三次記憶装置（ＬＴＯ（ＲＥＣ））３２１に定期的に、または、必要に応じて放送番組解析のための専用のＴＳ解析装置の入力として必要なファイルを作成するＴＳ再生装置（ＴＳ  Ｇｅｎｅｒａｔｏｒ）３３１に転送される。
【００２３】
まず、ＴＳファイルが三次記憶装置（ＬＴＯ（ＲＥＣ））３２１に転送される場合について説明する。
ＣＰＵ３０５は、ＰＣＩバス３０６の空いている時間に、二次記憶装置（ＨＤ）３０７に記憶されているＴＳファイルをＳＣＳＩインターフェース３０４、ＰＣＩバス３０６を介してギガビットネットワークプロセス間通信（Ｇｂｉｔ  ＮＩＣ）３０２に渡す。Ｇｂｉｔ  ＮＩＣ３０２と三次記憶装置（ＬＴＯ（ＲＥＣ））３２１との間はギガビットＬＡＮ（Ｇｂｉｔ  Ｌｏｃａｌ  Ａｒｅａ  Ｎｅｔｗｏｒｋ）で結ばれており、Ｇｂｉｔ  ＮＩＣ３０２に渡されたＴＳファイルは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）にて三次記憶装置（ＬＴＯ（ＲＥＣ））３２１に転送される。
【００２４】
ギガビットＬＡＮの経路は、ギガビットＮＩＣ（Ｇｂｉｔ  ＮＩＣ）３０２、ギガビットＬＡＮ３９２、ギガビットスイッチ（Ｇｂｉｔ  ＳＷ）３１１、およびギガビットＬＡＮ３９３を経由して三次記憶装置（ＬＴＯ（ＲＥＣ））３２１に接続される。このファイル転送は定期的に行われ、二次記憶装置（ＨＤ）３０７内のＴＳファイルは、２４時間後に上書きされる以前に少なくとも一度は三次記憶装置（ＬＴＯ（ＲＥＣ））３２１に転送される。例えば、ＴＳファイルの記録時間が５分間であるとすれば、５分間に１度（あるいは、１０分間に２度）は転送される。
【００２５】
また、ＣＰＵ３０５はシステム管理インターフェース３４１から二次記憶装置（ＨＤ）３０７内のＴＳファイルの転送要求があった場合、該当するＴＳファイルをＴＳ再生装置（ＴＳ  Ｇｅｎｅｒａｔｏｒ）３３１に転送する。
【００２６】
この場合においても、三次記憶装置（ＬＴＯ（ＲＥＣ））３２１へのデータ転送の場合と同様、ＣＰＵ３０５はＰＣＩバス３０６の空いている時間に、二次記憶装置（ＨＤ）３０７内のＴＳファイルをＳＣＳＩインターフェース３０４、ＰＣＩバス３０６を介してギガビットネットワークプロセス間通信（Ｇｂｉｔ  ＮＩＣ）３０２に渡す。Ｇｂｉｔ  ＮＩＣ３０２とＴＳ再生装置（ＴＳ  Ｇｅｎｅｒａｔｏｒ）３３１との間はギガビットＬＡＮ（Ｇｂｉｔ  Ｌｏｃａｌ  Ａｒｅａ  Ｎｅｔｗｏｒｋ）で結ばれており、Ｇｂｉｔ  ＮＩＣ３０２に渡されたＴＳファイルは、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）にてＴＳ再生装置（ＴＳＧｅｎｅｒａｔｏｒ）３３１に転送される。
【００２７】
ギガビットＬＡＮの経路は、ギガビットＮＩＣ（Ｇｂｉｔ  ＮＩＣ）３０２、ギガビットＬＡＮ３９２、ギガビットスイッチ（Ｇｂｉｔ  ＳＷ）３１１、ギガビットＬＡＮ３９４を経由してＴＳ再生装置（ＴＳ  Ｇｅｎｅｒａｔｏｒ）３３１に接続される。
【００２８】
以上の一連の動作は、ＴＳ処理装置３０８で行われ、ＴＳの取り込み、ＴＳのフレーム管理、ＴＳのファイリング、およびＴＳのファイル転送等のどの動作も他を妨げることなく行われる。これは、一旦ＴＳファイルとなった段階では同録動作とファイル転送とは別個に扱うことができるからである。従って、従来のテープ式の同録装置ではできなかった、記録中の番組解析も可能となる。
【００２９】
また、上述した三次記憶装置（ＬＴＯ（ＲＥＣ））３２１は、転送されたＴＳファイルを順次磁気テープ（図示しない）に記録する。ここで、三次記憶装置（ＬＴＯ（ＲＥＣ））３２１は受け取ったＴＳファイルを内部のワークＲＡＭ（図示しない）に一旦蓄えてからテープに書き込む。これは、テープの書き込み速度が機械的な動作のため遅いからである。このように、三次記憶装置（ＬＴＯ（ＲＥＣ））３２１では内部のワークＲＡＭを用いてデータのバッファリングと転送速度変換を行ってテープに記録する。
【００３０】
いま、磁気テープ１本が記録できる容量を１００Ｇバイト、ＴＳファイルの容量を１．５Ｇバイトとすると、１本の磁気テープに約６６ファイル（１ファイルのＴＳ記録時間を５分とすると、約５．５時間分）のＴＳが記録できることことになる。１本の磁気テープへの記録が終わったなら、磁気テープをを交換することで、連続してＴＳファイルの記録を行うことが可能となる。また、磁気テープの交換は、オートチェンジヤにより自動的に交換される。例えば、１日に５本の磁気テープが必要な場合、５本用のオートチェンジヤを使用すると、交換作業は１日１回ですむ。また、この場合、磁気テープの数量は３ケ月で４６０本になる。
【００３１】
しかし、本発明によれば、番組そのものの記録を行っていた従来のテープ式同録装置で必要不可欠であったテープ間のオーバーラップ部分は、ファイル記録方式のため不要となり、従って、効率的な記録を行うことができる。また、テープ交換も同録動作とは切り離して行うことができるので、三次記憶装置（ＬＴＯ（ＲＥＣ））３２１を複数用意する必要も無くなる。
【００３２】
放送番組の解析を行う場合、解析すべきＴＳファイルが２４時間以内のものであれば、該当するＴＳファイルを二次記憶装置（ＨＤ）３０７からギガビットＬＡＮ経由でＴＳ再生装置（ＴＳ  Ｇｅｎｅｒａｔｏｒ）３３１に入力する。もし、２４時間以内のものでないなら、三次記憶装置（ＬＴＯ（ＲＥＣ））３２１で記録され、保存されているテープから入力する。この場合は、テープ再生装置（ＬＴＯ（ＰＬＡＹ））３３２で再生した再生出力を線３３３を介して入力する。
【００３３】
ＴＳ再生装置（ＴＳ  Ｇｅｎｅｒａｔｏｒ）３３１は、入力されたＴＳファイルからファイルヘッダを取り除き、ＭＰＥＧ２のＴＳ規格に則った時間管理のもとでＴＳを生成する。得られたＴＳは、本発明装置の入力ＴＳ３９１（図３参照）と同等のものであり、また、このＴＳはＴＳ再生装置（ＴＳ  Ｇｅｎｅｒａｔｏｒ）３３１内のＲＡＭ等に展開される。これを線３９５を介してＴＳ解析装置（図示しない）に入力しＴＳの解析を行う。
【００３４】
このようにして、必要とするＴＳが瞬時に編成でき、また、ＴＳ再生装置内の記録媒体もＲＡＭなので必要箇所の瞬時アクセスが可能となる。従って、図示しないＴＳ解析装置では、ＭＰＥＧシステムの特徴である巻き戻し再生や、コマ送り再生等の機能を使ったＴＳ解析が可能になる。なお、本発明は、ＴＳ解析装置の発明ではないので、これ以上の説明は省略する。
【００３５】
以上は、本発明デジタル放送の放送番組記録装置（同録装置）の基本機能であるが、同録装置を考慮した場合、さらに一層の信頼性の確保や、操作性を向上した方が好ましい。以下に、これらの機能向上を図った同録装置について説明する。
【００３６】
図４は、本発明デジタル放送の放送番組記録装置の第２の実施形態を示している。
図４において、ＴＳ処理装置４０１，４１１、二次記憶装置（ＨＤ）４０２，４１２、およびギガビットスイッチ（Ｇｂｉｔ  ＳＷ）４０３、４１３は、それぞれ図３に示した本発明装置の第１の実施形態のＴＳ処理装置３０８、二次記憶装置（ＨＤ）３０７、およびギガビットスイッチ（Ｇｂｉｔ  ＳＷ）３１１に対応している。
【００３７】
また、三次記憶装置（ＬＴＯ（ＲＥＣ））４０４，４１４、ＴＳ再生装置（ＴＳ  Ｇｅｎｅｒａｔｏｒ）４２１、テープ再生装置（ＬＴＯ（ＰＬＡＹ））４２２、線４３２，４２３、および制御ＬＡＮ４５５，４５６，４５７，４５８，４５９は、それぞれ図３に示した本発明装置の第１の実施形態の三次記憶装置（ＬＴＯ（ＲＥＣ））３２１、ＴＳ再生装置（ＴＳ  Ｇｅｎｅｒａｔｏｒ）３３１、テープ再生装置（ＬＴＯ（ＰＬＡＹ））３３２、線３９５，３３３、およびシステム管理インターフェース３４１に対応している。
【００３８】
システムの信頼性をあげるのに、二重化は一つの手段である。本発明装置においても、入力ＴＳ４３１をＴＳ処理装置４０１，４１１で処理し、それぞれの二次記憶装置（ＨＤ）４０２，４１２に記録し、それぞれギガビットスイッチ（Ｇｂｉｔ  ＳＷ）４０３、４１３を介して三次記憶装置（ＬＴＯ（ＲＥＣ））４０４，４１４に記録している。本実施形態（第２の実施形態）の特徴は、これら二重化された装置の動作を統合的に管理することであり、その目的は障害時の敏速な切替、データ欠落の保護、障害原因の解析、およびＴＳ解析の操作性向上にある。また、ここには図示していないが、ギガビットＬＡＮおよび制御ＬＡＮの二重化も信頼性向上に効果がある。
【００３９】
また、本実施形態（第２の実施形態）においては、システム管理装置４５１が具えられ、ここで同録システム全体の管理を行う。システム管理装置４５１は、外部入出力インターフェース４５３で外部と接続されており、システムステータスやエラーログ、あるいはＴＳ解析情報等を入出力することができる。また、システム管理装置４５１は制御ＬＡＮ４５４を介して制御ＬＡＮスイッチ（Ｅｔｈｅｒｎｅｔ（Ｒ））４５２に接続され、さらにこの制御ＬＡＮスイッチ４５２を介して、制御ＬＡＮ４５５，４５６，４５７，４５８，４５９で構成される管理用ＬＡＮにも接続されている。
【００４０】
システム管理装置４５１は上述の制御ＬＡＮを介して、同録装置に定期的に自己診断情報を要求する。ここで、自己診断情報とは、例えば、ＴＳ処理装置４０１において、同装置内のＣＰＵは装置の各部分の動作を監視しており、その状態を報告する。もし、二次記憶装置（ＨＤ）４０２のアクセスに時間がかかった場合は、記憶データの取りこぼしが予想される。
【００４１】
また、システム管理装置４５１はＴＳファイルの管理も行っており、これは、ＴＳ処理装置４０１，４１１におけるＴＳファイルの作成状況、ならびに、三次記憶装置（ＬＴＯ（ＲＥＣ））４０４，４１４の記録状況等をデータとして作成する。これらのデータは、必要に応じて外部入出力インターフェース４５３を経由して外部に出力される。
【００４２】
これらの情報を得たシステム監視装置４５１は、外部入出力インターフェース４５３を介して警報を外部に出力するとともに、ＴＳ処理装置４０１、二次記憶装置（ＨＤ）４０２、ギガビットスイッチ（Ｇｂｉｔ  ＳＷ）４０３、および三次記憶装置（ＬＴＯ（ＲＥＣ））４０４で構成している現用設備を、ＴＳ処理装置４１１、二次記憶装置（ＨＤ）４１２、ギガビットスイッチ（Ｇｂｉｔ  ＳＷ）４１３、および三次記憶装置（ＬＴＯ（ＲＥＣ））４１４で構成している予備設備に制御ＬＡＮを介して瞬時に切り替える。同様に、ＴＳ処理装置４１１に不具合が発生した場合にも、その情報が制御ＬＡＮを介してシステム管理装置４５１に随時伝達され、装置の切替が瞬時に行われる。
【００４３】
ここで、具体的な運用例について説明する。
まず、三次記憶装置（ＬＴＯ（ＲＥＣ））４０４，４１４にそれぞれ１日分のカセットとして５本のテープを準備し、これをオートチェンジャにて記録する。三次記憶装置（ＬＴＯ（ＲＥＣ））４０４と同４１４は同じ番組を記録しており、現用としている三次記憶装置（ＬＴＯ（ＲＥＣ））４０４は上記５本のテープを番組保存用として毎日交換する。予備としている三次記憶装置（ＬＴＯ（ＲＥＣ））４１４はテープ交換を行わずに毎日同じテープ上に上書きする。もし、現用系に問題が発生した場合、予備系のカセット（テープ５本）を番組保存用として用い、現用系が復旧するまでこの運用を行う。このような運用を行うことにより、現用系に問題が発生した場合でも、対応（例えば、修理などの）を翌日まで延ばすことができるという利点を生じる。
【００４４】
また、システム管理装置４５１はシステムの健康管理のほか、外部装置からの要求により、ＴＳの作成や管理を行う。ＴＳ処理装置４０１，４１１、三次記憶装置（ＬＴＯ（ＲＥＣ））４０４，４１４、およびＴＳ再生装置（ＴＳ  Ｇｅｎｅｒａｔｏｒ）４２１はそれぞれの作業報告（作成ファイルや処理内容）を、制御ＬＡＮを介してシステム管理装置４５１に報告する。
【００４５】
例えば、外部から、２時間前の放送番組を１０分間解析したいとの要求があったとする。システム管理装置４５１は、該当するファイルを探し、ＴＳ処理装置４０１，４１１やＴＳ再生装置（ＴＳ  Ｇｅｎｅｒａｔｏｒ）４２１に制御ＬＡＮを介して指示を与え、要求されたＴＳを作成する。
【００４６】
本実施形態の場合、ＴＳファイル転送用ギガビットＬＡＮ（４８２，４９２，４８３，４９３，４８４，４９４）と制御用ＬＡＮとは、スループットの関連、信頼性の関連でそれぞれ別のＬＡＮを構成しているが、１０ギガビットＬＡＮ等の将来の高速広帯域ＬＡＮを使った場合、これらのＬＡＮを統合して１つのＬＡＮにしたり、また、これらのＬＡＮを拡張して遠隔地へのファイル転送や、遠隔地からのシステム管理を行うことが可能であることも自明である。
【００４７】
【発明の効果】
以上説明したように、従来の磁気テープを用いたアナログ放送用同録装置が番組を時系列的に記録しているのに対して、本発明装置では、同録対象となるＴＳに対して解析および転送に適したＴＳの複数フレーム単位でファイル化を行うことにより、放送時間情報からの検索だけでなく、画像、音声、データ等に分割した放送内容からの検索が可能となり、かつ必要部分のみの抽出が可能となるなどの利便性が増すという効果が得られる。
【００４８】
また、本発明によれば、解析を行おうとするＴＳファイルが細分化されたファイル構造であるため、ＴＳの解析に必要な部分だけを編集することができる。また、取り扱うデータがファイル構造であるため、記録中にそのデータを読み出しが可能となり、従って、同録中にその操作と並行してＴＳの解析作業を行うことができるようになる。
【００４９】
また、本発明装置に使用する記憶装置に、高速度小容量の一次記憶装置、中速度中容量の二次記憶装置、および低速度大容量の三次記憶装置を使い分けることにより、番組解析時間の短縮化、高機能化が実現されると言う効果が得られる。
【００５０】
また、本発明によれば、同録装置としてその構成に必要なＴＳ処理装置、記憶装置、再生装置を分離し、それらの統括制御を行うシステム管理装置を備え、各装置間をネットワークで接続し、また二重化構造（本発明の第２の実施形態参照）にしたため、各装置間の信頼性向上とシステム管理の利便性が向上する。
【図面の簡単な説明】
【図１】  従来のアナログ放送用の同録装置の一構成例を示している。
【図２】  デジタル放送を行うための装置の一例の系統図を示している。
【図３】  本発明デジタル放送の放送番組記録装置の第１の実施形態を示している。
【図４】  本発明デジタル放送の放送番組記録装置の第２の実施形態を示している。
【符号の説明】
３０１  ＤＶＢ−ＡＳＩインターフェースボード
３０２  ギガビットネットワークプロセス間通信（Ｇｂｉｔ  ＮＩＣ）
３０３  一次記憶装置（ＲＡＭ）
３０４  ＳＣＳＩインターフェース
３０５  ＣＰＵ
３０６  ＰＣＩバス
３０７  二次記憶装置（ＨＤ）
３０８  ＴＳ処理装置
３１１  ギガビットスイッチ（Ｇｂｉｔ  ＳＷ）
３２１  三次記憶装置（ＬＴＯ（ＲＥＣ））
３３１  ＴＳ再生装置（ＴＳ  Ｇｅｎｅｒａｔｏｒ）
３３２  テープ再生装置（ＬＴＯ（ＰＬＡＹ））
３３３，３９５  線
３４１  システム管理インターフェース
３９１  トランスポートストリーム（ＴＳ）
３９２，３９３，３９４  ギガビットＬＡＮ
４０１，４１１  ＴＳ処理装置
４０２，４１２  二次記憶装置（ＨＤ）
４０３，４１３  ギガビットスイッチ（Ｇｂｉｔ  ＳＷ）
４０４，４１４  三次記憶装置（ＬＴＯ（ＲＥＣ））
４２１  ＴＳ再生装置（ＴＳ  Ｇｅｎｅｒａｔｏｒ）
４２２  テープ再生装置（ＬＴＯ（ＰＬＡＹ））
４２３  線
４３１  トランスポートストリーム（ＴＳ）
４３２  線
４５１  システム管理装置
４５２  制御ＬＡＮスイッチ（Ｅｔｈｅｒｎｅｔ（Ｒ））
４５３  外部入出力インターフェース
４５４，４５５，４５６，４５７，４５８，４５９  制御ＬＡＮ
４８２，４８３，４８４，４９２，４９３，４９４  ギガビットＬＡＮ
【図１】
0004315618.tif 000002
【図２】
0004315618.tif 000003
【図３】
0004315618.tif 000004
【図４】
0004315618.tif 000005